(57)【要約】【課題】  ピストンナットの弛み止めを実践するについて、ピストンナットの締め付けによってバルブシート部材に定着されるリーフバルブにおける設定された特性を変更させないようにする。【解決手段】  バルブシート部材２に着座するリーフバルブ１をバルブシート部材２の軸芯部を貫通するロッド体３における先端インロー部３ａに介装された定着体４で定着してなるリーフバルブの定着構造において、ロッド体３における先端インロー部３ａの軸芯部に開穿の空部３ｅ内に圧入される圧入体５が空部３ｅ内を密閉状態に維持しながらロッド体３における先端インロー部３ａの外径を拡径して定着体４の内周に密着させてなる。【選択図】        図１
2006336662.tif 000002
【特許請求の範囲】
【請求項１】
バルブシート部材の軸芯部を貫通するロッド体における先端インロー部に介装された定着体がリーフバルブにおける内周側の固定部をバルブシート部材における軸芯部に形成のボス部に定着させてなるリーフバルブの定着構造において、ロッド体における先端インロー部の軸芯部に開穿の空部内に圧入される圧入体が空部内を密閉状態に維持しながらロッド体における先端インロー部の外径を拡径して定着体の内周に密着させてなることを特徴とするリーフバルブの定着構造
【請求項２】
バルブシート部材がシリンダ体内に摺動可能に収装されるピストン部を形成するピストン体とされてなると共に、ロッド体がシリンダ体内に出没可能に挿通される先端側にピストン体を保持するピストンロッドとされてなる請求項１に記載のリーフバルブの定着構造
【請求項３】
ロッド体における先端インロー部の軸芯部に開穿の空部がロッド体の加工時における調芯用の穴とされてなる請求項１に記載のリーフバルブの定着構造
【請求項４】
圧入体が球状，ピン状あるいは鍔付きピン状に形成されてなる請求項１に記載のリーフバルブの定着構造
【発明の詳細な説明】
【技術分野】
【０００１】
この発明は、リーフバルブの定着構造に関し、特に、油圧緩衝器におけるシリンダ体内の、たとえば、ピストン部への具現化に向くリーフバルブの定着構造の改良に関する。
【背景技術】
【０００２】
たとえば、特許文献１に開示されているように、油圧緩衝器におけるシリンダ体内のピストン部は、多くの場合に、減衰力発生用などとされるリーフバルブを有してなり、このとき、リーフバルブは、環状に形成されていて、上記のピストン部を形成してバルブシート部材とされるピストン体に内周端固定で外周端自由の態様に定着されることがある。
【０００３】
そして、このピストン体へのリーフバルブの定着は、バルブシート部材たるピストン体の軸芯部を貫通するピストンロッドなどのロッド体の先端インロー部への定着体たるピストンナットの介装、すなわち、ピストンナットの螺着による締め付けで実践されるとしている。
【０００４】
そしてまた、このとき、ピストンナットによる締め付け状態を恒久的に保障するために、すなわち、ピストンナットの弛み止めのために、ロッド体の先端、すなわち、先端インロー部の先端をカシメ加工することが周知されている。
【０００５】
それゆえ、このロッド体の先端をカシメ加工して定着体たるピストンナットの弛み止めを実践する方策による場合には、たとえば、接着材を利用して定着体たるピストンナットの緩み止めを実践する場合に比較して、接着材の乾燥を待つことがなく、短い作業時間で所期の目的を達成できることになる。
【特許文献１】特開２００３‐３１４６０７号公報（図１，図４）
【発明の開示】
【発明が解決しようとする課題】
【０００６】
しかしながら、上記した特許文献１に開示されているリーフバルブの定着構造にあっては、所定位置に定着されるリーフバルブにおける設定された特性を変更させる危惧があると指摘される可能性がある。
【０００７】
すなわち、リーフバルブについては、所定の定着状態におかれるときに、所定の撓み作動を具現化できるように、その肉厚や定着体による定着力などがあらかじめ設定されてなるとしている。
【０００８】
そこで、リーフバルブを所定位置に定着させるための定着体の介装、すなわち、ピストンナットによる締め付けが設定の力で実践されて、その状態が維持される場合には、何等問題がないことになる。
【０００９】
しかし、定着体たるピストンナットによる締め付け状態を恒久的に維持するためにロッド体の先端をカシメ加工する場合には、そのカシメ加工に伴う力が定着体を介してリーフバルブの内周側の固定部に作用することになり、そのため、バルブシート部材におけるボス部に対するリーフバルブにおける内周側の固定部の圧接力が変更されることになり、結果的に、リーフバルブにおける特性が設定のものと異なることになる危惧がある。
【００１０】
この発明は、このような現状を鑑みて創案されたものであって、その目的とするところは、ピストンナットの弛み止めを実践し得るのはもちろんのこと、ピストンナットの締め付けによってバルブシート部材に定着されるリーフバルブにおける設定された特性を変更させることなくして、その汎用性の向上を期待するのに最適となるリーフバルブの定着構造を提供することである。
【課題を解決するための手段】
【００１１】
上記した目的を達成するために、この発明の構成を、基本的には、バルブシート部材の軸芯部を貫通するロッド体における先端インロー部に介装された定着体がリーフバルブにおける内周側の固定部をバルブシート部材における軸芯部に形成のボス部に定着させてなるリーフバルブの定着構造において、ロッド体における先端インロー部の軸芯部に開穿の空部内に圧入される圧入体が空部内を密閉状態に維持しながらロッド体における先端インロー部の外径を拡径して定着体の内周に密着させてなるとする。
【発明の効果】
【００１２】
それゆえ、この発明にあっては、圧入体のロッド体における先端インロー部の軸芯部に開穿の空部内への圧入で、ロッド体における先端インロー部に介装の定着体がその定着位置から逸脱し得なくなるから、リーフバルブにおける内周側の固定部のバルブシート部材におけるボス部への着座状態が保障されると共に、バルブシート部材におけるボス部に着座しているリーフバルブにおける内周側の固定部に設定外となる外力が作用しなくなるから、リーフバルブにおける設定された特性が保障されることになる。
【００１３】
そして、この発明にあっては、圧入体のロッド体における先端インロー部の軸芯部に開穿の空部内への圧入で、この空部内が密閉状態に維持されるから、この空部内に残存することがある切削滓などのゴミを空部内に封じ込めることが可能になる。
【００１４】
このとき、ゴミを空部内に封じ込めることからすれば、圧入体の圧入で空部内が完全な密閉状態に維持されなくても良く、空部内と空部外とのエアの流通が許容される構成、すなわち、エア抜き孔やエア抜き溝を有してほぼ密閉状態を具現化できる構成とされるとしても良い。
【発明を実施するための最良の形態】
【００１５】
以下に、図示した実施形態に基づいて、この発明を説明するが、この発明によるリーフバルブの定着構造は、図示するところでは、図１に示すように、油圧緩衝器（図示せず）におけるシリンダ体Ｃ内に摺動可能に収装のピストン部Ｐに具現化されるとするもので、このとき、ピストン部Ｐは、シリンダ体Ｃ内に図中で上端側となる先端側が出没可能に挿通されるピストンロッドＲに保持されてなるとしている。
【００１６】
そして、この発明によるリーフバルブの定着構造は、上記のピストン部Ｐにあって、リーフバルブ１と、バルブシート部材２と、ロッド体３と、定着体４と、圧入体５とを有してなる。
【００１７】
少し説明すると、まず、リーフバルブ１は、図示するところでは、径の異なる環状に形成された複数枚が積層されてなるとし、また、内周側を固定部１ａにすると共に外周側を撓み部１ｂにして、内周側の固定部１ａが後述するバルブシート部材２におけるボス部２ａに圧接状態に定着されるとし、この状態下に、ピストン部Ｐがシリンダ体Ｃ内をいわゆる伸側に摺動するときに外周側の撓み部１ｂが撓み作動して所定の伸側減衰力を発生する伸側減衰バルブに設定されてなるとしている。
【００１８】
ちなみに、このとき、バルブシート部材２を挟んでこの伸側減衰バルブたるリーフバルブ１のいわゆる反対側には、リーフバルブたる伸側チェックバルブ６が配在されているが、この発明の効果は、すなわち、バルブシート部材２に定着されるリーフバルブ１における設定の特性が変更されないとする効果は、この伸側チェックバルブ６たるリーフバルブにも及ぶことになるのはもちろんであり、このことについては、後述する。
【００１９】
つぎに、バルブシート部材２は、上記したところからすると、ピストン部Ｐを形成するピストン体からなり、軸芯部に多くの場合に環状に形成のボス部２ａを有してこのボス部２ａにリーフバルブ１における多くの場合に環状に形成された内周側の固定部１ａを着座させるとしている。
【００２０】
ちなみに、このバルブシート部材２たるピストン体は、軸芯部に、すなわち、ボス部２ａの内側に開穿された貫通孔２ｂを有しており、この貫通孔２ｂには後述するロッド体３における先端インロー部３ａをいわゆるガタなく貫通させるとしている。
【００２１】
なお、このバルブシート部材２たるピストン体には、ロッド体３の延在方向となる軸線方向に沿って伸側流路２ｃと圧側流路２ｄとが開穿されていて、伸側流路２ｃの図中で上端となる下流側端を前記したリーフバルブ１たる伸側減衰バルブにおける外周側となる撓み部１ｂが開閉可能に閉塞し、圧側流路２ｄの図中で下端となる下流側端を前記したリーフバルブたる伸側チェック弁６における外周側となる撓み部６ａが開閉可能に閉塞するとしている。
【００２２】
ロッド体３は、図示するところでは、前記したところからして、ピストンロッドＲからなり、また、前述したように、バルブシート部材２における軸芯部に開穿の貫通孔２ｂに先端インロー部３ａをいわゆるガタなく貫通させるとしている。
【００２３】
すなわち、ロッド体３にあって、先端インロー部３ａは、その外周に上記したピストン体たるバルブシート部材２を介装させるとしており、前述したように、このバルブシート部材２をいわゆる両側から挟むように前記したリーフバルブ１たる伸側減衰バルブと同じくリーフバルブからなる伸側チェックバルブ６が配在されてなるとしている。
【００２４】
また、このロッド体３にあって、上記のバルブシート部材２を介装させる部位より図中で上端部となる先端部の外周に螺条３ｂを形成していて、この螺条３ｂに後述する定着体４を螺合させるとしている。
【００２５】
ちなみに、ロッド体３にあって、先端インロー部３ａを形成するについては、図示しないが、シリンダ体Ｃの開口端で出没するときに軸受に摺接するいわゆる軸部３ｃを切削することによるが、このとき、軸部３ｃと先端インロー部３ａとの間に段差部３ｄが形成され、この段差部３ｄにバルブストッパ７および伸側チェック弁６を介してバルブシート部材２が当接されることになる。
【００２６】
そして、このロッド体３について、上記の段差部３ｄを形成したりその他の加工をする際には、軸芯線を回転中心にするようにいわゆる調芯されることが必須となり、この調芯のために、先端インロー部３ａの軸芯部には、穴が形成され、この穴が空部３ｅとなって残存されることになる。
【００２７】
そしてまた、この空部３ｅは、前記した特許文献１に開示されているリーフバルブの定着構造にあっては、図示されていないし、また、図示しないが、カシメ加工の際のカシメ冶具を導入させる穴として利用されているのは前述の通りである。
【００２８】
それに対して、この発明では、上記の空部３ｅに後述するように圧入体５を圧入するとしているが、その作用するところおよび効果については、後に詳述する。
【００２９】
定着体４は、ロッド体３の先端インロー部３ａに介装されてリーフバルブ１における内周側の固定部１ａをこれが着座するバルブシート部材２のボス部２ａに定着させるもので、図示するところでは、ロッド体３がピストンロッドＲからなることからして、また、前記したように、ロッド体３におけるインロー部３ａの先端側の外周に螺条３ｂを有してなることからして、ピストンナットからなるとしている。
【００３０】
それゆえ、この定着体４にあっては、ピストンナットにおける締め付けトルクがあらかじめ設定されていて、その締め付けトルクに基づいて先端インロー部３ａへの締め付け作業が実践されることになる。
【００３１】
ちなみに、このとき、リーフバルブ１の内周側の固定部１ａがバルブシート部材２のボス部２ａに必要以上に大きい力で、すなわち、設定の力以上で圧接されることはなく、したがって、リーフバルブ１における特性が変更されないことはもちろんである。
【００３２】
圧入体５は、ロッド体３における先端インロー部３ａの軸芯部に開穿の空部３ｅ内に圧入されるもので、この圧入体５の空部３ｅ内への圧入で、この空部３ｅの内径が拡径され、その分この空部３ｅを内側に有する先端インロー部３ａの外径が拡径されることになる。
【００３３】
ちなみに、空部３ｅは、前述したように、ロッド体３の軸部３ｃを切削加工する際の調芯用の穴としてあらかじめ切削されるもので、同じく前述したように、  従前では、カシメ加工の際のカシメ冶具を導入させる穴として利用されていたものである。
【００３４】
その結果、圧入体５の圧入で拡径された先端インロー部３ａの外周は、ここに介装の定着体４の内周に圧接される状況になり、すなわち、定着体４たるピストンナットがその定着位置たる螺条３ｂに対する螺合位置から逸脱し得なくなる。
【００３５】
そして、定着体４たるピストンナットがその配設位置から逸脱しない、すなわち、移動しないから、リーフバルブ１における内周側の固定部１ａのバルブシート部材２におけるボス部２ａへの着座状態が保障されるのもちろんのこと、このとき、定着体４たるピストンナットには、径方向の外力が作用するのみで、このピストンナットをリーフバルブ１の内周側の固定部１ａに押し付けるような軸方向力力は作用しない。
【００３６】
その結果、定着体４たるピストンナットは、バルブシート部材２におけるボス部２ａに着座しているリーフバルブ１における内周側の固定部１ａおよびこのリーフバルブ１の反対側に配在される伸側チェックバルブ６に設定外となる外力を作用することがなく、したがって、リーフバルブ１および伸側チェックバルブ６における設定された特性が保障されることになる。
【００３７】
そして、この発明にあっては、圧入体５の空部３ｅ内への圧入で、この空部３ｅ内が密閉状態に維持されるから、図示しないが、この空部３ｅ内に残存することがある切削滓などのゴミを空部３ｅ内に封じ込めることが可能になる。
【００３８】
その結果、空部３ｅが密閉されていない場合に比較して、空部３ｅ内に残存することがある切削滓などのゴミが爾後に作動油中に混入する事態を回避でき、たとえば、作動油中に混入したゴミがリーフバルブ１とバルブシート部材２との間に挟まれるなどして発生される減衰力が安定しなくなる不具合の招来をあらかじめ回避し得ることになる。
【００３９】
ちなみに、いわゆる穴に圧入体５たるスチールボールを圧入する事例が、たとえば、特開平９−２５９７７号公報中の図２に開示されているが、この公報に開示されているところは、いわゆるバイパス路を形成する上で、穴の開口をスチールボールの圧入で閉塞するとするもので、言わば流路を確保するためであり、この発明のように、穴に残存されることがあるゴミをその穴に封じ込めるためのものではない。
【００４０】
そして、この種の穴からなる空部３ｅに残存するゴミを爾後に外部に出させないようにするためとしては、空部３ｅ内に適量の接着材を流し込む方策があると推察できるが、この接着材を流し込む方策による場合には、接着材が乾燥するまで次の作業に移れなくなることに比較して、この圧入体５の圧入による場合には、直ちに次の作業に移れることになり、作業性を悪くしない点からも有利となる。
【００４１】
以上のように、従前あれば、ロッド体３たるピストンロッドの先端インロー部３ａの先端に開穿されている加工時の調芯用の穴からなる空部３ｅにカシメ冶具を導入するなどしてカシメ加工して定着体４たるピストンナットの所定位置への定着が実現されるとしていたところを、この発明にあっては、上記の空部３ｅに圧入体５を圧入して、定着体４たるピストンナットに軸方向力を作用することなく所定位置に定着させるとしているから、定着体４たるピストンナットを所定位置に定着させるにあって、いたずらにリーフバルブ１の内周側の固定部１ａに設定外となる外力を作用させることがなく、したがって、リーフバルブ１における設定された特性が変更されることを危惧しなくて済むことになる。
【００４２】
そして、上記したところからすれば、圧入体５は、所定の機能を発揮する限りには、すなわち、空部３ｅの内径を拡径して、ロッド体３における先端インロー部３ａの外径を拡径すると共に、空部３ｅ内に残存されることがある切削滓などのゴミを空部３ｅ内に封じ込めることを可能にする限りには、空部３ｅを完全な密閉状態にする必要はなく、空部３ｅ内が外部と連通する、すなわち、空部３ｅ内のエアが空部３ｅ外に流出し得るようにほぼ密閉状態に維持するなど、任意に構成されて良いと言い得ることになる。
【００４３】
そして、圧入体５が任意に構成されて良いことからすれば、図示する球体からなるのに代えて、たとえば、図２（Ａ）に示すように、ピン状に形成され、図２（Ｂ）に示すように、樽状に形成され、さらには、図２（Ｃ）に示すように、鍔付きピン状に形成されるなどとしても良い。
【００４４】
そして、このとき、圧入体５は、図示するところでは、中実体からなるとしているが、これに代えて、図示しないが、有頭円筒状あるいは有底円筒状に形成されるとしても良い。
【００４５】
また、この圧入体５が任意の形状に形成されるとするとき、空部３ｅの内周面が図１に示すようにいわゆる平滑面で形成されるのに代えて、図３に示すように、いわゆる粗面で形成されてなるとしても良く、粗面としては、ネジ面を初めとして種々のものを提案し得るが、ネジ面がいわゆる形成作業の上からは有利となるであろう。
【００４６】
そしてまた、圧入体５が、たとえば、上記のピン状，樽状あるいは鍔付きピン状に形成される場合に、図４（Ａ）に示すように、軸芯部などに空部３ｅ内と空部３ｅ外とのエアの流通を許容する孔５ａを形成し、あるいは、図４（Ｂ）に示すように、外周に空部３ｅ内と空部３ｅ外とのエアの流通を許容する溝５ｂを形成するとする提案をなし得る。
【００４７】
ちなみに、このとき、上記の孔５ａおよび溝５ｂのいわゆる開口径は、空部３ｅに内に残存することがある切削滓などのゴミの通過を阻止し得る径に設定されるのはもちろんである。
【００４８】
そして、この孔５ａあるいは溝５ｂを形成する圧入体５を空部３ｅ内に圧入する場合には、空部３ｅ内にエアを封じ込めないから、この空部３ｅ内のエアが熱膨張するようなことがあっても、そのために圧入体５が空部３ｅ内から脱け出る不具合の招来をあらかじめ回避できることになる。
【００４９】
前記したところは、この発明によるリーフバルブの定着構造がシリンダ体Ｃ内のピストン部Ｐに具現化されてなるとしたが、この発明が意図するところからすれば、図示しないが、この定着構造がシリンダ体内のベースバルブ部に具現化されるとしても良く、その場合における作用効果についても同様となるのはもちろんである。
【図面の簡単な説明】
【００５０】
【図１】この発明によるリーフバルブの定着構造を具現化した油圧緩衝器におけるシリンダ体内のピストン部を示す図である。
【図２】圧入体の他の実施形態を示す図である。
【図３】空部の他の実施形態を示す図である。
【図４】圧入体のさらに他の実施形態を示す図である。
【符号の説明】
【００５１】
１  リーフバルブ
２  バルブシート部材
３  ロッド体
４  定着体
５  圧入体
Ｃ  シリンダ体
Ｐ  ピストン部
Ｒ  ピストンロッド
【図１】
2006336662.tif 000003
【図２】
2006336662.tif 000004
【図３】
2006336662.tif 000005
【図４】
2006336662.tif 000006